(57)【特許請求の範囲】
【請求項１】
少なくとも透光性を有する第１の基板と、
前記第１の基板に向かい合うように配置された第２の基板と、
前記第１の基板に配置された第１の電極と、
前記第２の基板に該第２の基板の面方向に沿って間隔をあけて行方向及び列方向の双方に向かって配置された複数の第２の電極と、
前記複数の第２の電極間の各々に配置され、前記第１の基板側に向かって突出した凸部と、
前記凸部に設けられた第３の電極と、
前記第１の基板と第２の基板との基板間に封入され、該基板間に電界が形成されることにより移動する粒子群と、
前記第２の基板側から前記第１の基板側へ前記粒子群を移動させるときに、画像情報に基づいて、前記第１の電極と、前記複数の第２の電極のうちの前記第２の基板側から前記第１の基板側へ前記粒子群を移動させる画素に対応する位置に設けられた第２の電極と、に、前記粒子群が前記第２の基板側から前記第１の基板側へ移動する電位差となるように第１の電圧を印加し、
該第１の電圧の印加より前に、前記第１の電圧の印加によって前記第２の電極に印加される電圧と同極性で、前記第１の電極との電位差の絶対値が、０を超え且つ前記第１の電圧を印加された前記第１の電極と前記第２の電極との電位差のうちの最も小さい電位差の絶対値以下となるように、前記第３の電極へ第２の電圧を印加する電圧印加装置と、
を備えた表示装置。
【請求項２】
前記電圧印加装置は、前記第１の電圧及び前記第２の電圧を印加した後に、前記第１の電極と前記第２の電極への前記第１の電圧の印加を解除するより前に、前記第３の電極への前記第２の電圧の印加を解除する請求項１に記載の表示装置。
【請求項３】
少なくとも透光性を有する第１の基板と、
前記第１の基板に向かい合うように配置された第２の基板と、
前記第１の基板に配置された第１の電極と、
前記第２の基板に該第２の基板の面方向に沿って間隔をあけて行方向及び列方向の双方に向かって配置された複数の第２の電極と、
前記複数の第２の電極間の各々に配置され、前記第１の基板側に向かって突出した凸部と、
前記凸部に設けられた第３の電極と、
前記第１の基板と第２の基板との基板間に封入され、前記基板間において移動を開始する電界強度の異なる複数種類の粒子群と、
前記第２の基板側から前記第１の基板側へ前記複数種類の粒子群のうちの少なくとも１種類を移動させるときに、画像情報に基づいて、前記第１の電極と、前記複数の第２の電極のうちの前記第２の基板側から前記第１の基板側へ前記複数種類の粒子群のうちの少なくとも１種類を移動させる画素に対応する位置に設けられた第２の電極と、に、該画素に対応する該第２の電極毎に前記複数種類の粒子群のうちの移動対象の種類の粒子群が前記第２の基板側から前記第１の基板側へ移動する電位差となるように第３の電圧を印加し、
該第３の電圧の印加より前に、前記第３の電圧の印加によって該第２の電極に印加される電圧と同極性で、前記第１の電極との電位差の絶対値が、０を超え且つ前記第３の電圧を印加された前記第１の電極と前記第２の電極との電位差のうちの最も小さい電位差の絶対値以下となるように、前記第３の電極へ第４の電圧を印加する電圧印加装置と、
を備えた表示装置。
【請求項４】
前記電圧印加装置は、前記第３の電圧及び前記第４の電圧を印加した後に、前記第１の電極と前記第２の電極への前記第３の電圧の印加を解除するより前に、前記第３の電極への前記第４の電圧の印加を解除する請求項３に記載の表示装置。
【発明の詳細な説明】
【技術分野】
【０００１】
本発明は、表示装置に関する。
【背景技術】
【０００２】
特許文献１には、透光性を有する表示基板と、背面基板と、表示基板側に設けられた複数のライン状の表示側電極と、背面基板側に配置され表示側電極に交差する方向に配置されたライン状の複数の背面側電極と、表示基板と背面基板との基板間に形成された電界により基板間を移動する粒子群と、隣接する背面側電極間の各々に設けられた隣接間電極と、を備えた表示媒体が開示されている。特許文献１では、隣接間電極の各々を独立に駆動し、背面側電極と該背面側電極に隣接する隣接間電極との電位差が、背面電極と接地電位との電位差より小さくなるように電圧を印加することが提案されている。
【０００３】
特許文献２には、第１基板上に設けられた第１表示電極と第２表示電極との間で粒子を電気泳動させる電気泳動表示装置が開示されている。特許文献２では、第１基板に設けられた第１表示電極と第２表示電極との間に、構造障壁を設け、この構造障壁の情報に制御電極を配置し、第１表示電極と第２表示電極の何れか一方の表示電極から制御電極へ粒子を移動させた後に、制御電極から他方の表示電極へ粒子を移動させることが提案されている。
【先行技術文献】
【特許文献】
【０００４】
【特許文献１】特開２００４−１０９４８２号公報
【特許文献２】特開２００１−２４９３６６号公報
【発明の概要】
【発明が解決しようとする課題】
【０００５】
本発明の課題は、粒子群を第２の基板側から第１の基板側へ移動させるときに、第２の電極の間の凸部に設けられた第３の電極に、本発明における第２の電圧を印加しない場合に比べて、第１の電極側における粒子群の広がりの抑制された表示装置を提供することである。
【課題を解決するための手段】
【０００６】
請求項１に係る発明は、少なくとも透光性を有する第１の基板と、前記第１の基板に向かい合うように配置された第２の基板と、前記第１の基板に配置された第１の電極と、前記第２の基板に該第２の基板の面方向に沿って間隔をあけて行方向及び列方向の双方に向かって配置された複数の第２の電極と、前記複数の第２の電極間の各々に配置され、前記第１の基板側に向かって突出した凸部と、前記凸部に設けられた第３の電極と、前記第１の基板と第２の基板との基板間に封入され、該基板間に電界が形成されることにより移動する粒子群と、前記第２の基板側から前記第１の基板側へ前記粒子群を移動させるときに、画像情報に基づいて、前記第１の電極と、前記複数の第２の電極のうちの前記第２の基板側から前記第１の基板側へ前記粒子群を移動させる画素に対応する位置に設けられた第２の電極と、に、前記粒子群が前記第２の基板側から前記第１の基板側へ移動する電位差となるように第１の電圧を印加し、該第１の電圧の印加より前に、前記第１の電圧の印加によって前記第２の電極に印加される電圧と同極性で、前記第１の電極との電位差の絶対値が、０を超え且つ前記第１の電圧を印加された前記第１の電極と前記第２の電極との電位差のうちの最も小さい電位差の絶対値以下となるように、前記第３の電極へ第２の電圧を印加する電圧印加装置と、を備えた表示装置である。
【０００７】
請求項２に係る発明は、前記電圧印加装置は、前記第１の電圧及び前記第２の電圧を印加した後に、前記第１の電極と前記第２の電極への前記第１の電圧の印加を解除するより前に、前記第３の電極への前記第２の電圧の印加を解除する請求項１に記載の表示装置である。
【０００８】
請求項３に係る発明は、少なくとも透光性を有する第１の基板と、前記第１の基板に向かい合うように配置された第２の基板と、前記第１の基板に配置された第１の電極と、前記第２の基板に該第２の基板の面方向に沿って間隔をあけて行方向及び列方向の双方に向かって配置された複数の第２の電極と、前記複数の第２の電極間の各々に配置され、前記第１の基板側に向かって突出した凸部と、前記凸部に設けられた第３の電極と、前記第１の基板と第２の基板との基板間に封入され、前記基板間において移動を開始する電界強度の異なる複数種類の粒子群と、前記第２の基板側から前記第１の基板側へ前記複数種類の粒子群のうちの少なくとも１種類を移動させるときに、画像情報に基づいて、前記第１の電極と、前記複数の第２の電極のうちの前記第２の基板側から前記第１の基板側へ前記複数種類の粒子群のうちの少なくとも１種類を移動させる画素に対応する位置に設けられた第２の電極と、に、該画素に対応する該第２の電極毎に前記複数種類の粒子群のうちの移動対象の種類の粒子群が前記第２の基板側から前記第１の基板側へ移動する電位差となるように第３の電圧を印加し、該第３の電圧の印加より前に、前記第３の電圧の印加によって該第２の電極に印加される電圧と同極性で、前記第１の電極との電位差の絶対値が、０を超え且つ前記第３の電圧を印加された前記第１の電極と前記第２の電極との電位差のうちの最も小さい電位差の絶対値以下となるように、前記第３の電極へ第４の電圧を印加する電圧印加装置と、を備えた表示装置である。
【０００９】
請求項４に係る発明は、前記電圧印加装置は、前記第３の電圧及び前記第４の電圧を印加した後に、前記第１の電極と前記第２の電極への前記第３の電圧の印加を解除するより前に、前記第３の電極への前記第４の電圧の印加を解除する請求項３に記載の表示装置である。
【発明の効果】
【００１０】
請求項１に係る発明によれば、粒子群を第２の基板側から第１の基板側へ移動させるときに、凸部に設けられた第３の電極に、請求項１に係る発明における第２の電圧を印加しない場合に比べて、第１の電極側における粒子群の広がりの抑制された表示装置が提供される、という効果を奏する。
【００１１】
請求項２に係る発明によれば、第１の電圧を印加された第１の電極と第２の電極への電圧印加を解除すると同時または該電圧印加を解除した後に、第１の電圧を印加された第１の電極と第２の電極への電圧印加を解除する場合に比べて、凸部に位置された粒子群が移動先の基板側へ効果的に移動する、という効果を奏する。
【００１２】
請求項３に係る発明によれば、基板間において移動を開始する電界強度の異なる複数種類の粒子群を有する表示装置において、複数種類の粒子群のうちの少なくとも１種類を第２の基板側から第１の基板側へ移動させるときに、凸部に設けられた第３の電極に、請求項３に係る発明における第３の電圧を印加しない場合に比べて、第１の電極側における粒子群の広がりの抑制された表示装置が提供される、という効果を奏する。
【００１３】
請求項４に係る発明によれば、第３の電圧を印加された第１の電極と第２の電極への電圧印加を解除すると同時または該電圧印加を解除した後に、第４の電圧を印加された第１の電極と第２の電極への電圧印加を解除する場合に比べて、凸部に位置された粒子群が移動先の基板側へ効果的に移動する、という効果を奏する。
【図面の簡単な説明】
【００１４】
【図１】第１の実施形態に係る表示装置の一例を示す概略構成図であり、図２のＡ−Ａ’断面図である。
【図２】図１に示す表示装置の表示媒体における電極の構成を模式的に示した概略構成図である。
【図３】第１の実施の形態に係る表示装置の作用を示す模式図である。
【図４】第１の実施の形態に係る表示装置の作用を示す模式図である。
【図５】第１の実施の形態に係る表示装置の作用を示す模式図である。
【図６】（Ａ）は、第１の実施の形態にかかる表示媒体の電界シミュレーション結果を示す図であり、（Ｂ）及び（Ｃ）は、従来の表示媒体における電界シミュレーション結果を示す図である。
【図７】第２の実施形態に係る表示装置の一例を示す概略構成図である。
【図８】（Ａ）〜（Ｄ）は、第２の実施の形態に係る表示装置の作用を示す模式図である。
【図９】（Ａ）〜（Ｄ）は、第２の実施の形態に係る表示装置の作用を示す模式図である。
【図１０】（Ａ）（Ｂ）は、本実施の形態の表示装置における表示媒体の表示電極の構成の一例を示す模式図である。
【発明を実施するための形態】
【００１５】
以下、本実施形態について図面を参照しつつ説明する。なお、作用・機能が同様の働きを担う部材には、全図面を通して同じ符合を付与し、重複する説明を省略する場合がある。
【００１６】
（第１の実施の形態）
図１に示すように、本実施形態に係る表示装置１０は、表示媒体１２と、表示媒体１２に電圧を印加する電圧印加部１６と、電圧印加部１６の駆動を制御する制御部１８と、を含んで構成されている。制御部１８は、電圧印加部１６に信号授受可能に接続されている。
【００１７】
制御部１８は、装置全体の動作を司るＣＰＵ（中央処理装置）と、各種データを一時的に記憶するＲＡＭ（Ｒａｎｄｏｍ  Ａｃｃｅｓｓ  Ｍｅｍｏｒｙ）と、装置全体を制御する制御プログラムや処理ルーチンによって示されるプログラムを含む各種プログラムが予め記憶されたＲＯＭ（Ｒｅａｄ  Ｏｎｌｙ  Ｍｅｍｏｒｙ）と、を含むマイクロコンピュータとして構成されている。
【００１８】
なお、表示装置１０が本発明の表示装置に相当する。また、電圧印加部１６及び制御部１８が、本発明の表示装置における電圧印加装置に相当する。
【００１９】
表示媒体１２は、画像表示面とされる透光性（可視光の透過率が７０％以上）を有する表示基板２０と、表示基板２０に間隔をあけて向かい合うように配置された背面基板２２と、を含んで構成されている。
表示基板２０と背面基板２２との基板間には、分散媒３６が充填されており、分散媒３６中には、白色粒子３８と、表示基板２０と背面基板２２との基板間に形成された電界に応じて該基板間を移動する粒子群４０と、が分散されている。
【００２０】
表示基板２０及び背面基板２２としては、ガラスやプラスチック等の材料が適用され、例えば、ポリカーボネート樹脂、アクリル樹脂、ポリイミド樹脂、ポリエステル樹脂、エポキシ樹脂、ポリエーテルサルフォン樹脂等を適用される。
【００２１】
表示基板２０には、表示電極２４と絶縁層２８が順に設けられている。背面基板２２には、複数の画素電極２６、及び絶縁層３０が順に設けられている。
【００２２】
表示電極２４は、本実施の形態では、図２に示すように、表示基板２０の板面に添って層状に設けられたベタ電極とされている。そして、表示電極２４は、電圧印加部１６に電気的に接続されている。このため、表示電極２４は、電圧印加部１６から電圧を印加されることで、表示電極２４の全領域に同じ電圧を印加される共通電極として構成されている。
一方、画素電極２６は、背面基板２２の面方向に沿って、間隔を空けて行方向及び列方向の双方に向かって複数配列された状態とされている。これらの複数の画素電極２６は、各々独立して電圧印加部１６に電気的に接続されており、電圧印加部１６から独立して電圧を印加される構成とされている。
【００２３】
なお、本実施の形態では、画素電極２６は、表示媒体１２に表示される画像の各画素に１対１で対応して設けられているものとして説明するが、複数の画素毎に１つの画素電極２６が対応するように設けられた構成であってもよく、１つの画素に複数の画素電極２６が対応するように設けられた構成であってもよい。
【００２４】
また、本実施の形態では、表示電極２４、複数の画素電極２６、及び後述する凸部電極３４の全てが、電圧印加部１６に電気的に接続されている場合を説明するが、表示電極２４、複数の画素電極２６、及び後述する凸部電極３４のうちの、表示電極２４は接地された形態であってもよい。
【００２５】
表示電極２４、画素電極２６、及び後述する凸部電極３４には、インジウム、スズ、カドミウム、アンチモン等の酸化物、ＩＴＯ等の複合酸化物、金、銀、銅、ニッケル等の金属、ポリピロールやポリチオフェン等の有機材料等が使用される。
なお、表示電極２４は、表示基板２０に埋め込んでもよいし、同様に、画素電極２６は背面基板２２に埋め込んでもよい。この場合、表示基板２０、背面基板２２の材料が、粒子群４０の帯電特性に影響を及ぼすことがあるので、粒子群４０の組成等に応じて選択する必要がある。
【００２６】
絶縁層２８及び絶縁層３０は、絶縁性（体積抵抗率が１０１１Ω・ｃｍ以上、以下同様とする）の層である。絶縁層２８は、表示基板２０上に設けられた表示電極２４上に積層されるように層状に設けられている。絶縁層３０は、背面基板２２上に設けられた複数の画素電極２６上に設けられた膜状の層である。
この絶縁層２８及び絶縁層３０を構成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等が挙げられる。
【００２７】
背面基板２２側には、表示基板２０側に突出した凸部３２が設けられている。この凸部３２は、背面基板２２側に設けられた複数の画素電極２６の電極間に設けられており、該電極間から表示基板２０側に向かって突出した状態とされている。この凸部３２は、画素電極２６間に設けられ、背面基板２２側から表示基板２０側に向かって突出しており、画素電極２６間を粒子群４０が移動することを阻止する形状であればよい。本実施の形態では、凸部３２は、複数の各画素電極２６間に設けられることで、図２に示すように、各画素電極２６の周囲を囲むように格子状に設けられた状態とされている。
【００２８】
凸部３２の構成材料は、特に限定されないが、例えば、熱可塑性樹脂、熱硬化性樹脂、電子線硬化樹脂、光硬化樹脂、ゴム等が挙げられる。
【００２９】
凸部３２は、有色でも無色でもよいが、表示媒体１２に表示される表示画像に悪影響を及ぼさないように、無彩色あるいは無色透明であることが好ましく、その場合には、例えば、ポリスチレンやポリエステルやアクリルなどの透明樹脂等が使用される。なお、「透明」とは、可視光に対する透過率が６０％以上であることを示している。
【００３０】
凸部３２は、表示基板２０側に向かって突出する程度の高さであり、表示基板２０側に設けられた部材（本実施の形態では、絶縁層２８）に接しない高さであればよく、その高さは限定されないが、表示媒体１２に封入された粒子群４０の全て（具体的には、９０％以上の粒子）が背面基板２２側に配置されたときの粒子群４０による厚みの１／２以上の高さであることがよい。
【００３１】
凸部３２には、凸部電極３４が設けられている。この凸部電極３４は、電圧印加部１６に電気的に接続されている。凸部電極３４は、電圧印加部１６から電圧を印加されることで、凸部電極３４の全領域に同じ電圧を印加される共通電極として構成されている。
【００３２】
本実施の形態では、凸部電極３４は、図２に示すように、複数の各画素電極２６間に設けられることで格子状に配置された凸部３２に設けられることで、凸部電極３４もまた、各画素電極２６を囲むように連続して格子状に配置された状態とされている。なお、上述したように、この凸部電極３４は、電気的に連続して設けられており、凸部電極３４の全領域に同じ電圧を印加される共通電極として構成されている。
【００３３】
なお、凸部電極３４の、凸部３２における表示媒体１２の厚み方向の配置位置は、凸部３２における表示基板２０側の端部に相当する位置であってもよいし、凸部３２における背面基板２２側の端部に相当する位置であってもよい。また、凸部電極３４は、凸部３２の表面を覆うように設けられた形態であってもよい。また、凸部３２の構成材料を、凸部電極３４の構成材料で構成することで、凸部３２と凸部電極３４とを一体的に構成してもよい。
【００３４】
表示基板２０と背面基板２２との基板間に充填されている分散媒３６としては、絶縁性の液体が挙げられる。分散媒３６としては、例えば、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、ベンジン、ジイソプロピルナフタレン、オリーブ油、トリクロロトリフルオロエタン、テトラクロロエタン、ジブロモテトラフルオロエタンなどや、それらの混合物が挙げられる。
【００３５】
分散媒３６に分散されている白色粒子３８は、基板間に電界が形成されても移動しない白色の粒子である。その構成材料としては、ビニルナフタレン化合物や酸化チタン等が挙げられる。この白色粒子３８の体積平均粒径としては、０．０１μｍ以上２０μｍ以下等が挙げられる。なお、本実施の形態では、白色粒子３８は、白色である場合を説明するが、電気泳動する粒子群４０とは異なる色であればよく、白色に限られない。
【００３６】
粒子群４０は、表示基板２０と背面基板２２との基板間（以下、単に「基板間」と称する場合がある）に形成された電界に応じて移動する粒子である。詳細には、粒子群４０は、その構成に応じて、基板間に特定の電界強度の電界が形成されたときに、基板間を移動する。すなわち、粒子群４０が移動するために必要な電界強度を形成するための電位差となるように、基板間に電圧が印加されることで、粒子群４０は基板間を移動する。
なお、「電界強度」とは、単位距離あたりの電位差（Ｖ／ｍ）（以下、単に「電位差」と称する）を示している。
【００３７】
この粒子群４０が移動を開始する電界強度は、粒子群４０を構成する各粒子の表面の分散媒３６に対する流動抵抗、平均帯電量、粒径、及び形状係数等によって定められる。
【００３８】
この粒子群４０としては、アルミナ、酸化チタン等の金属酸化物粒子等、熱可塑性若しくは熱硬化性樹脂粒子、これらの樹脂粒子の表面に着色剤を固定したもの、及び熱可塑性若しくは熱硬化性樹脂中に着色剤を含有する粒子が挙げられる。
【００３９】
粒子群４０の製造に用いられる熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体が例示される。
【００４０】
また、粒子群４０の製造に用いられる熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等が挙げられる。
【００４１】
着色剤としては、有機若しくは無機の顔料や、油溶性染料等が使用され、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等が代表的なものとして例示される。
【００４２】
粒子群４０に含まれる樹脂には、必要に応じて、帯電制御剤を混合してもよい。帯電制御剤としては、電子写真用トナー材料に使用される公知のものが使用される。
【００４３】
表示媒体１２に含まれる粒子群４０の含有量（質量％）としては、得たい色相が得られる濃度であれば特に限定されるものではないが、一般的には、０．０１質量％以上９０質量％以下である。
【００４４】
上記構成の本実施の形態の表示媒体１２は、画像の保存及び書き換えの可能な掲示板、回覧板、電子黒板、広告、看板、点滅標識、電子ペーパー、電子新聞、電子書籍、及び複写機等と共用されるドキュメントシート等に使用される。
【００４５】
なお、本実施の形態の表示媒体１２は、図１に示す形態である場合を説明するが、表示基板２０側に表示電極２４が設けられ、背面基板２２側に複数の画素電極２６が設けられ、画素電極２６間に凸部３２が設けられ、凸部３２に凸部電極３４が設けられ、電界に応じて基板間を移動する粒子群４０が封入された構成であればよく、図１に示す形態に限られない。
【００４６】
例えば、背面基板２２が、複数の画素電極２６毎にＴＦＴ（薄膜トランジスタ）を備えた構成であってもよい。また、分散媒３６が封入されず、空気が封入された構成であってもよい。また、分散媒３６中に分散される白色粒子３８に換えて、粒子群４０とは異なる光学的反射特性を有する反射部材を基板間に設けた構成であってもよい。なお、この「粒子群４０とは異なる光学的反射特性を有する」とは、粒子群４０だけが分散された分散媒３６と、反射部材とを対比して目視で観察した場合に、色相や明度、彩度などにおいて、両者の差異が識別される程度の差異があることを意味する。
【００４７】
本実施の形態の表示媒体１２では、上述のように、粒子群４０が移動するために必要な電界強度を形成するための電位差（以下、単に「移動する電位差」と称する場合がある）となるように、基板間に電圧が印加されることで、粒子群４０は移動する。
このため、表示媒体１２では、表示電極２４と画素電極２６との間に、粒子群４０が背面基板２２側から表示基板２０側へ移動する電位差となるように電圧が印加されることで、粒子群４０による色が表示される。また、表示基板２０と背面基板２２との間に、粒子群４０が表示基板２０側から背面基板２２側へ移動する電位差となるように電圧が印加されることで、白色粒子３８による色が表示される。
【００４８】
このため、画像情報に基づいて、表示電極２４と各画素に対応する画素電極２６とに、粒子群４０が表示基板２０側または背面基板２２側へ移動する電位差となるように電圧を印加することで、各画素に対応する領域の粒子群４０を表示基板２０側または背面基板２２側へ移動させることで、表示媒体１２には特定の画像が表示されることとなる。
【００４９】
ここで、従来では、複数の画素電極２６の設けられている背面基板２２側から表示基板２０側へ粒子群４０が移動するときに、画素電極２６間において粒子群４０の移動が生じる場合があった。この粒子群４０の画素電極２６間における移動は、表示対象の画像の画素間に対応する領域における粒子群４０の移動であることから、画質劣化につながる場合があった。また、表示電極２４側において、画素の広がりや解像度の低下が生じる場合があった。
【００５０】
そこで、本実施の形態の表示装置１０では、背面基板２２側に配置されている粒子群４０を表示基板２０側へ移動させるときには、まず、表示対象の画像の画像情報に基づいて、電圧印加部１６は、表示電極２４と、複数の画素電極２６のうちの粒子群４０を背面基板２２側から表示基板２０側へ移動させる画素に対応する位置に設けられた画素電極２６と、に、粒子群４０が背面基板２２側から表示基板２０側へ移動する電位差となるように第１の電圧を印加する。
【００５１】
また、電圧印加部１６は、この第１の電圧の印加と同時、またはこの第１の電圧の印加のまえに、該第１の電圧の印加によって画素電極２６に印加される電圧と同極性で、表示電極２４との電位差の絶対値が、０を越え、且つ第１の電圧を印加された表示電極２４と画素電極２６との電位差のうちの最も小さい電位差の絶対値以下となるように、凸部電極３４へ第２の電圧を印加する。なお、電圧印加部１６によるこれらの電圧（第１の電圧及び第２の電圧）の印加は、制御部１８の制御によって行われる。
【００５２】
なお、本実施の形態においては、表示媒体１２に設けられた複数の画素電極２６の各々に同時期に印加される電圧は、必ず同極性であるものとして説明する。すなわち、複数の画素電極２６に、同時期に異なる極性の電圧は印加されないものとする。
【００５３】
例えば、表示電極２４に印加する電圧を０Ｖまたは表示電極２４を接地し、画素電極２６に印加する電圧を０Ｖから連続的に変化させて電位差を発生させたときに、粒子群４０が電圧値Ｖ１（例えば５Ｖであるとする）の電圧を印加されたときに移動を開始する粒子であるとする（すなわち、電位差５Ｖ）。
そして、図１に示すように、全ての粒子群４０が背面基板２２側に位置されている状態から、複数の画素電極２６（例えば、画素電極２６１、画素電極２６２、画素電極２６３）のうちの、画素電極２６１及び画素電極２６３に対応する領域に存在する粒子群４０を表示基板２０側へ移動させて画像表示させるものとする。
【００５４】
この場合には、電圧印加部１６は、制御部１８の制御によって、図３に示すように、表示電極２４及び画素電極２６２を０Ｖまたは接地した状態で、画素電極２６１及び画素電極２６３に、第１の電圧として、例えば、電圧値Ｖ１（５Ｖ）の電圧を印加する。また、この第１の電圧の印加と同時、または該第１の電圧の印加より前に、第１の電圧を印加された画素電極２６１及び画素電極２６３と同極性で、表示電極２４との電位差の絶対値が、０を超え、且つ第１の電圧を印加された表示電極２４と画素電極２６１及び表示電極２４と画素電極２６３のうちの、最も小さい電位差の絶対値である５Ｖ以下となるような電圧として、凸部電極３４へ５Ｖ以下の電圧を印加する。
【００５５】
このため、背面基板２２側から表示基板２０側へ粒子群４０が移動するときには、凸部電極３４への上記電圧値の電圧の印加によって画素電極２６間に電気的な障壁が形成された状態となり、凸部電極３４への電圧印加によって凸部３２を越えて隣の画素電極２６に対応する領域へと粒子群４０が移動することが抑制されると考えられる（図３参照）。
【００５６】
なお、上述のように、第１の電圧は、粒子群４０が背面基板２２側から表示基板２０側へ“移動する電位差”となるような電圧であればよいので、粒子群４０が電圧値Ｖ１（例えば５Ｖ）の電圧を印加されたときに移動を開始する粒子であれば、第１の電圧として、画素電極２６１及び画素電極２６３には、１０Ｖの電圧を印加してもよい。
この場合には、凸部電極３４には、第２の電圧として、１０Ｖ以下の電圧を印加すればよい。
【００５７】
また、本実施の形態の表示装置１０では、上記第１の電圧及び第２の電圧の印加を解除するときには、電圧印加部１６は、制御部１８の制御によって、表示電極２４と画素電極２６への第１の電圧印加を解除する前に、凸部電極３４への第２の電圧の印加を解除する（図４参照）。そしてその後に、電圧印加部１６は、制御部１８の制御によって、表示電極２４と画素電極２６への電圧印加を解除する。このため、凸部電極３４への上記第２の電圧の印加が解除された後に、画素電極２６及び表示電極２４への第１の電圧の印加が解除される（図５参照）。
【００５８】
なお、本実施の形態において、「電圧印加を解除する」とは、本実施の形態では、対応する電極へ印加する電圧の電圧値を０Ｖとする場合や、対応する電極を開放（オープン）状態にすることを示している。
【００５９】
以上説明したように、本実施の形態の表示装置１０では、背面基板２２側に配置されている粒子群４０を表示基板２０側へ移動させるときには、表示対象の画像の画像情報に基づいて、表示電極２４と、複数の画素電極２６のうちの粒子群４０を背面基板２２側から表示基板２０側へ移動させる画素に対応する位置に設けられた画素電極２６と、に、粒子群４０が背面基板２２側から表示基板２０側へ移動する電位差となるように第１の電圧を印加する。そして、電圧印加部１６は、この第１の電圧の印加と同時、またはこの第１の電圧の印加のまえに、該第１の電圧の印加によって画素電極２６に印加される電圧と同極性で、表示電極２４との電位差の絶対値が、０を越え、且つ第１の電圧を印加された表示電極２４と画素電極２６との電位差のうちの最も小さい電位差の絶対値以下となるように、凸部電極３４へ第２の電圧を印加する。
【００６０】
このため、背面基板２２側から表示基板２０側へ粒子群４０が移動するときには、凸部電極３４への上記電圧値の電圧の印加によって画素電極２６間に電気的な障壁が形成された状態となり、背面基板２２側から表示基板２０側へ粒子群４０が移動するときに、表示電極２４側における粒子群４０の広がりが抑制され、画素広がりや解像度低下が抑制されると考えられる、また、隣の画素電極２６に対応する領域へと粒子群４１が移動することが抑制されると考えられる。
【００６１】
具体的には、高さ１０μｍの凸部３２の上部に凸部電極３４を設けて、３つの画素電極２６１、画素電極２６２、及び画素電極２６３のうちの、画素電極２６１及び画素電極２６３に、１５Ｖの電圧を印加すると共に、凸部電極３４に１５Ｖの電圧を印加したときの電界シミュレーションによって示される等電位曲線は、図６（Ａ）に示す結果となった。
なお、図６（Ａ）に示す例は、誘電率２．４２で高さ１０μｍの凸部３６の上に凸部電極３４を設け、分散媒３８の誘電率を２．４２としたときのシミュレーション結果である。また、図６（Ｂ）に示す例は、凸部電極３４を設けない構成とした以外は図６（Ａ）と同じ構成としたときのシミュレーション結果であり、図６（Ｃ）は、凸部３６を設けない以外は図６（Ａ）と同じ構成としたときのシミュレーション結果である。
図６（Ａ）に示すように、画素電極２６１及び画素電極２６３に、１５Ｖの電圧を印加すると共に、凸部電極３４に１５Ｖの電圧を印加したときの電界シミュレーションによって示される等電位曲線は、凸部電極３４を設けない構成を想定した電界シミュレーションによって示される等電位曲線である図６（Ｂ）及び凸部３２及び凸部電極３４の無い構成を想定した電界シミュレーションによって示される等電位曲線である図６（Ｃ）に比べて、画素電極２６の面に垂直な方向（垂直方向）の電界成分が大きく、且つ電気力線の広がりが小さいことが分かる。
粒子群４０は、等電位曲線によって示される等電位面に垂直に移動することから、本実施の形態の表示装置１０によれば、隣の画素電極２６に対応する領域へと粒子群４０が移動することが抑制されると考えられる。また、表示基板２０側（表示電極２４側）における粒子群４０の広がりが抑制され、画素広がりや解像度低下が抑制されると考えられる。
【００６２】
さらに、図６（Ｄ）には、高さ１０μｍの凸部３２の下部に凸部電極３４を設けて、背面基板２２上に凸部電極３４及び凸部３２を順に設けた構成とし、３つの画素電極２６１、画素電極２６２、及び画素電極２６３のうちの、画素電極２６１及び画素電極２６３に、１５Ｖの電圧を印加すると共に、凸部電極３４に１５Ｖの電圧を印加したときの電界シミュレーションによって示される等電位曲線を示した。
なお、図６（Ｄ）に示す例は、分散媒３８の誘電率を２．４２とし、凸部３６の誘電率を２０としたときのシミュレーション結果である。図６（Ｄ）に示すように、凸部電極３４を凸部３２の下部に設けた構成とし、凸部３２の誘電率を分散媒３８の誘電率より大きくした場合には、図６（Ａ）に示す構成より更に、画素電極２６の面に垂直な方向（垂直方向）の電界成分が大きく、且つ電気力線の広がりが更に小さいことが分かる。
【００６３】
なお、図示は省略するが、凸部３２の上部に凸部電極３４を設けた図６（Ａ）に示す構成において、凸部３２の誘電率を２０とした以外は図６（Ａ）と同じ構成としたときのシミュレーション結果は、図６（Ａ）と同じであり、電気力線に変化は見られなかった。
【００６４】
このため、上述のように、凸部３２の構成材料は、特に限定されないが、凸部電極３４を凸部３２の下部に設けて、背面基板２２上に凸部電極３４及び凸部３２を順に設けた構成とした場合には、凸部３２は、分散媒３６の誘電率より高い誘電率を有する材料で構成することがよいといえる。凸部電極３４を凸部３２の下部に設ける場合には、凸部３２の構成材料を、分散媒３６の誘電率より高い誘電率を有する材料で構成することで、凸部３２自体も電気的な障壁として機能することとなり、粒子群４０が画素電極２６間の移動が更に抑制されると考えられる。
【００６５】
また、本実施の形態の表示装置１０では、粒子群４０を背面基板２２側から表示基板２０側へ移動させるときに凸部電極３４に印加される第２の電圧は、第１の電圧の印加によって画素電極２６に印加される電圧と同極性で、該第１の電圧を印加された表示電極２４との電位差が０を越え、且つ粒子群４０が表示基板２０側へ移動を開始する電位差の絶対値以下の電圧である。このため、背面基板２２側から表示基板２０側へ粒子群４０が移動する時に、凸部電極３４への電圧印加によって、粒子群４０の表示基板２０側への移動が阻害されることも抑制されると考えられる。
【００６６】
また、複数の画素電極２６の各々には独立して電圧が印加されるが、凸部電極３４は共通電極とされており、同じ電圧が印加されることから、ドライバの出力本数が抑制される。
【００６７】
また、本実施の形態の表示装置１０では、上記第１の電圧及び第２の電圧の印加を解除するときには、表示電極２４と画素電極２６への第１の電圧印加を解除する前に、凸部電極３４への第２の電圧印加を解除するので、粒子群４０を表示基板２０側へ移動させるときに、粒子群４０を構成する粒子の一部が凸部３２に付着した場合であっても、凸部３２に付着した粒子群４０が容易に取り除かれて、表示基板２０側へ移動すると考えられる。
なお、この効果の確認は、表示媒体１２の濃度を測定することによって実現される。
【００６８】
（第２の実施の形態）
上記第１の実施の形態では、表示媒体１２に含まれる粒子群４０は１種類であるものとして説明したが、本実施の形態では、基板間を電界に応じて移動する粒子群として、基板間において移動を開始する電界強度の異なる複数種類の粒子群を用いた形態を説明する。
【００６９】
図７に示すように、本実施の形態の表示装置１０Ａは、表示媒体１２Ａと、表示媒体１２Ａに電圧を印加する電圧印加部１６Ａと、電圧印加部１６Ａの駆動を制御する制御部１８Ａと、を含んで構成されている。制御部１８Ａは、電圧印加部１６Ａに信号授受可能に接続されている。
【００７０】
なお、表示装置１０Ａが本発明の表示装置に相当し、電圧印加部１６Ａ及び制御部１８Ａが、本発明の表示装置における電圧印加装置に相当する。
【００７１】
表示媒体１２Ａは、表示基板２０と、背面基板２２と、を含んで構成されている。表示基板２０と背面基板２２との基板間には、分散媒３６が充填されており、分散媒３６中には、白色粒子３８が分散されている。また、分散媒３６中には、表示基板２０と背面基板２２との基板間に形成された電界に応じて該基板間を移動し、互いに移動を開始する電界強度の異なる複数種類の粒子群４１Ｙ、粒子群４１Ｃ、及び粒子群４１Ｍが分散されている。なお、これらの複数種類の粒子群４１Ｙ、粒子群４１Ｃ、及び粒子群４１Ｍを総称する場合には、粒子群４１と称して説明する。
【００７２】
なお、本実施の形態では、表示媒体１２Ａに封入された複数種類の粒子群４１は、３種類の粒子群４１である場合を説明するが、２種類以上であればよく、３種類に限られない。また、これらの複数種類の粒子群４１（粒子群４１Ｙ、粒子群４１Ｃ、及び粒子群４１Ｍ）は、同じ色であってもよいし、互いに異なる色であってもよい。また、これらの複数種類の粒子群４１は、互いに同じ移動速度であってもよいし、異なる移動速度であってもよい。
【００７３】
表示基板２０には、表示電極２４と絶縁層２８が順に設けられている。背面基板２２には、複数の画素電極２６及び絶縁層３０が順に設けられている。また、背面基板２２側には、表示基板２０側に突出した凸部３２が設けられている。凸部３２には、凸部電極３４が設けられている。
【００７４】
なお、本実施の形態における表示媒体１２Ａは、第１の実施の形態で説明した表示媒体１２において、表示媒体１２に封入される粒子群４０に換えて、複数種類の粒子群４１（４１Ｙ、粒子群４１Ｃ、粒子群４１Ｍ）を用いた以外は、表示媒体１２と同じ構成であるため、同じ機能を有する部材には同じ符号を付与して詳細な説明を省略する。
【００７５】
粒子群４１Ｙ、粒子群４１Ｃ、及び粒子群４１Ｍは、互いに移動を開始する電界強度の異なる複数種類の粒子群４１である。
このため、これらの粒子群４１Ｙ、粒子群４１Ｃ、及び粒子群４１Ｍは、各々の種類の粒子群が移動する電位差となるように基板間に電圧が印加されることで移動する。
【００７６】
なお、これらの粒子群４１は、第１の実施の形態で説明した粒子群４０の構成材料として挙げた材料により製造すればよい。この複数種類の粒子群４１の各々が移動を開始する電界強度は、各種類の粒子群４１を構成する各粒子の表面の分散媒３６に対する流動抵抗、平均帯電量、粒径、及び形状係数等によって定められる。このため、粒子群４１Ｙ、粒子群４１Ｃ、及び粒子群４１Ｍの各々における流動抵抗、平均帯電量、粒径、及び形状係数等を調整することで、移動を開始する電界強度の異なる複数種類の粒子群４１が調整される。
【００７７】
以下、本実施の形態の表示装置１０Ａにおける作用を説明する。
【００７８】
なお、第１の実施の形態でも説明したが、本実施の形態においても、表示媒体１２Ａに設けられた複数の画素電極２６の各々の同時期に印加される電圧は、必ず同極性であるものとして説明する。すなわち、複数の画素電極２６に、同時期に異なる極性の電圧は印加されないものとする。
【００７９】
本実施の形態の表示装置１０Ａでは、画像情報に基づいて、背面基板２２側に配置されている複数種類の粒子群４１のうちの少なくとも１種類を表示基板２０側へ移動させるときには、画像情報に基づいて、電圧印加部１６Ａは、表示電極２４と、複数の画素電極２６のうちの、複数種類の粒子群４１のうちの少なくとも１種類を背面基板２２側から表示基板２０側へ移動させる画素に対応する画素電極２６と、に、該複数種類の粒子群４１のうちの移動対象の種類の粒子群４１が、背面基板２２側から表示基板２０側へ移動する電位差となるように第３の電圧を印加する。なお、電圧印加部１６Ａによる電圧の印加は、制御部１８Ａの制御によって行われる。
【００８０】
そして、本実施の形態の表示装置１０Ａでは、電圧印加部１６Ａは、この第３の電圧の印加と同時、またはこの第３の電圧の印加のまえに、該第３の電圧の印加によって画素電極２６に印加される電圧と同極性で、表示電極２４との電位差の絶対値が、０を越え、且つ第３の電圧を印加された画素電極２６と表示電極２４との電位差のうちの最も小さい電位差の絶対値以下となるように、凸部電極３４へ第４の電圧を印加する。
【００８１】
例えば、複数種類の粒子群４１（粒子群４１Ｙ、粒子群４１Ｃ、及び粒子群４１Ｍ）が全て同極性であり、移動を開始する電位差の絶対値が、粒子群４１Ｙ、粒子群４１Ｃ、粒子群４１Ｍの順に大きく、特定の画素では粒子群４１Ｍのみを表示基板２０側へ移動させ、他の画素では粒子群４１Ｃ、及び粒子群４１Ｍを表示基板２０側へ移動させるとする。そして、該特定の画素に対応する位置に設けられた画素電極２６を画素電極２６１とし、他の画素に対応する位置に設けられた画素電極２６を画素電極２６２及び画素電極２６３とする。なお、表示電極２４は接地（０Ｖ）されているものとする。
この場合には、上記第３の電圧の印加によって、上記特定の画素に対応する位置に設けられた画素電極２６１には、表示電極２４との電位差が粒子群４１Ｍのみが表示基板２０側へ移動する電位差となるように、電圧が印加される。そして、上記他の画素に対応する位置に設けられた画素電極２６２及び画素電極２６３には、表示電極２４との電位差が粒子群４１Ｃ及び粒子群４１Ｍのみが表示基板２０側へ移動する電位差となるように、電圧が印加される。
【００８２】
このように、第３の電圧の印加においては、移動対象の粒子群４１の種類が画素毎に異なる場合には、共通電極である表示電極２４に印加される電圧との電位差が、画素毎の移動対象の種類の粒子群４１を移動させる電位差となるように、画素電極２６毎に印加される電圧値が調整される。
【００８３】
そして、上記例では、第３の電圧を印加された画素電極２６と表示電極２４との電位差のうちの最も小さい電位差の絶対値は、上記粒子群４１Ｃ及び粒子群４１Ｍを表示基板２０側へ移動させる他の画素に対応する位置に設けられた画素電極２６２及び画素電極２６３と表示電極２４との電位差の絶対値である。このため、凸部電極３４には、該画素電極２６２及び画素電極２６３と表示電極２４との電位差の絶対値以下となるように、凸部電極３４へ第４の電圧が印加される。
【００８４】
なお、上記一例では、第３の電圧の印加によって表示基板２０側へ移動する粒子群４１は、粒子群４１Ｃ、及び粒子群４１Ｍであったが、例えば、第３の電圧の印加によって表示基板２０側へ移動する粒子群４１として、粒子群４１Ｙ、粒子群４１Ｃ、及び粒子群４１Ｍの全てを表示基板２０側へ移動させる画素（画素電極２６）が１つでも存在する場合には、凸部電極３４には、該画素電極２６と表示電極２４との電位差の絶対値以下となるように、凸部電極３４へ第４の電圧が印加されることとなる。
【００８５】
上述のようにして、第３の電圧及び第４の電圧が印加されることによって、互いに移動を開始する電界強度の異なる複数種類の粒子群４１を有する表示媒体１２Ａを備えた表示装置１０Ａにおいても、背面基板２２側から表示基板２０側へ粒子群４１が移動するときに、表示電極２４側における粒子群４１の広がりが抑制され、画素広がりや解像度低下が抑制されると考えられる。また、隣の画素電極２６に対応する領域へと粒子群４１が移動することが抑制されると考えられる。
【００８６】
また、上記第３の電圧及び第４の電圧の印加を解除するときには、電圧印加部１６Ａは、制御部１８Ａの制御によって、表示電極２４と画素電極２６への電圧印加を解除する前に、凸部電極３４への電圧印加を解除する。そしてその後に、電圧印加部１６Ａは、制御部１８Ａの制御によって、表示電極２４と画素電極２６への電圧印加を解除する。
なお、「電圧印加を解除する」とは、本実施の形態においても、対応する電極へ印加する電圧の電圧値を０Ｖとする場合や、対応する電極を開放（オープン）状態にすることを示している。
【００８７】
このように、表示電極２４と画素電極２６への電圧印加を解除する前に、凸部電極３４への電圧印加を解除するので、移動対象の種類の粒子群４１を構成する粒子の一部が凸部３２に付着した場合であっても、凸部３２に付着した粒子が容易に取り除かれて表示基板２０側へ移動すると考えられる。
【００８８】
なお、表示基板２０側に配置された複数種類の粒子群４１のうちの少なくとも１種類を背面基板２２側へ移動させるときには、凸部電極３４への電圧印加を解除したままで、背面基板２２側へ移動させる対象の種類の粒子群４１が表示基板２０側から背面基板２２側へ移動する電位差となる電圧を表示電極２４と画素電極２６へ印加すればよい。
【００８９】
以下、本実施の形態の表示装置１０Ａにおいて、複数種類の粒子群４１を選択的に移動させて各色表示する場合について、具体的な例を挙げて説明する。
【００９０】
なお、表示媒体１２Ａには、互いに移動を開始する電界強度の異なる複数種類の粒子群４１として、イエローの粒子群４１Ｙ、シアンの粒子群４１Ｃ、及びマゼンタの粒子群４１Ｍが封入されているとする。また、粒子群４１Ｙ及び粒子群４１Ｃは、負極に帯電されており、粒子群４１Ｍは、正極に帯電されているとする。
そして、表示電極２４に印加する電圧を０Ｖまたは表示電極２４を接地し、画素電極２６に印加する電圧を０Ｖから連続的に変化させて電位差を発生させたときに、粒子群４１Ｙは電圧値Ｖ１（例えば５Ｖとする）以上の電圧の印加により基板間を移動し、粒子群４１Ｃは電圧値Ｖ２（例えば、１０Ｖとする）以上の電圧の印加により基板間を移動し、粒子群４１Ｍは電圧値Ｖ３（例えば１５Ｖとする）以上の電圧の印加により基板間を移動するものとする。
【００９１】
なお、以下に説明する図８及び図９では、説明を簡略化するために、１つの画素電極（画素電極２６１とする）に着目した例を挙げて説明する。また、表示電極２４は、０Ｖまたは接地した状態であるものとし、各電極への電圧の印加は、制御部１８Ａの制御によって電圧印加部１６Ａが行う。
【００９２】
まず、全ての種類の粒子群４１（粒子群４１Ｙ、粒子群４１Ｃ、粒子群４１Ｍ）が、背面基板２２側に配置された状態から、マゼンタを表示する場合には、第３の電圧として画素電極２６１に電圧値Ｖ３（１５Ｖ）の正極性の電圧を印加する。また、この第３の電圧の印加と同時または該第３の電圧の印加の前に、電圧値Ｖ３（１５Ｖ）以下の正極性の電圧として、例えば、＋Ｖ３（５Ｖ）の電圧を凸部電極３４へ印加する（図８（Ａ）参照）。そして、粒子群４１Ｍが表示基板２０側に移動した後に、凸部電極３４への電圧印加を解除し、その後、画素電極２６１への電圧印加を解除する。
【００９３】
この第３の電圧の印加及び第４の電圧の印加によって、複数種類の粒子群４１（粒子群４１Ｙ、粒子群４１Ｃ、粒子群４１Ｍ）のうちの、粒子群４１Ｍのみが、表示基板２０側に移動し、マゼンタが表示される（図８（Ａ）参照）。なお、粒子群４１Ｍが表示基板２０側へ移動したか否かは、第３の電圧及び第４の電圧を印加してから予め定められた時間が経過するまでを制御部１８で計測し、制御部１８の制御によって電圧印加部１６から第３の電圧及び第４の電圧が印加されてから該時間が経過したことを確認することによって判断すればよい。そして、この予め定められた時間は、粒子群４１が背面基板２２側から表示基板２０側へ移動するために必要な時間を予め計測して制御部１８内に記憶しておけばよい。以下、粒子群４１の表示基板２０側への移動の判断は同様に行う。
【００９４】
なお、表示媒体１２Ａにおけるその他の画素において最も移動開始電圧の小さい種類の粒子群４１を表示基板２０側へ移動させる画素が含まれる場合には、他の画素電極２６には、第３の電圧として粒子群４１Ｙが移動を開始する電圧である電圧値Ｖ１（５Ｖ）の電圧が印加されることとなる。このため、この場合には、「第３の電圧を印加された画素電極２６と表示電極２４との電位差のうちの最も小さい電位差の絶対値」は、電圧値Ｖ１（５Ｖ）となるので、第４の電圧として、凸部電極３４には、電圧値Ｖ１以下（５Ｖ以下）の電圧を印加する必要がある。
【００９５】
以下では、説明を簡略化するために、複数種類の粒子群４１のうちの少なくとも１種類を背面基板２２側から表示基板２０側へ移動させる場合に、表示媒体１２Ａにおけるその他の画素において最も移動開始電圧の小さい種類の粒子群４１を表示基板２０側へ移動させる画素が必ず含まれており、この画素に対応する画素電極２６には、第３の電圧として、電圧値Ｖ１（５Ｖ）の電圧が印加されるものとして説明する。
このため、複数種類の粒子群４１のうちの少なくとも１種類を背面基板２２側から表示基板２０側へ移動させる場合に、凸部電極３４に印加される第４の電圧の電圧値としては、電位差Ｖ１（５Ｖ）の絶対値を用いるものとして説明する。なお、第４の電圧として凸部電極３４に印加される電圧の極性は、第３の電圧の印加時に画素電極２６に印加される電圧の極性と同じである。
【００９６】
次に、図８（Ａ）に示すマゼンタの表示された状態から、黒（ＢＫ）を表示する場合には、第３の電圧として画素電極２６１に電圧値Ｖ２（１０Ｖ）の負極性の電圧を印加する。また、この第３の電圧の印加と同時または該第３の電圧の印加の前に、凸部電極３４に電圧値Ｖ１（５Ｖ）の負極性の第４の電圧を印加する（図８（Ｂ）参照）。そして、粒子群４１Ｙ及び粒子群４１Ｃが表示基板２０側に移動した後に、凸部電極３４への電圧印加を解除し、その後、画素電極２６１への電圧印加を解除する。
【００９７】
この第３の電圧の印加及び第４の電圧の印加によって、背面基板２２側に配置されていた粒子群４１Ｙ、及び粒子群４１Ｃの双方が、表示基板２０側に移動する。これによって、イエロー、シアン、マゼンタの減色混合による色である黒（ＢＫ）が表示されることとなる（図８（Ｂ）参照）。
【００９８】
次に、図８（Ｂ）に示す黒（ＢＫ）の表示された状態から、青（Ｂ）を表示する場合には、表示基板２０側に配置されている複数種類の粒子群４１のうちの、粒子群４１Ｙのみを背面基板２２側へ移動させる。この場合には、凸部電極３４への電圧印加を解除したままで、表示電極２４と画素電極２６との電位差が、粒子群４１Ｙのみが表示基板２０側から背面基板２２側へ移動する電位差の電圧である電圧値Ｖ１（５Ｖ）の正極性の電圧を画素電極２６１へ印加する（図８（Ｃ）参照）。この電圧の印加によって、表示基板２０側に配置されていた粒子群４１のうちの、粒子群４１Ｙのみが、背面基板２２側に移動する。これによって、シアン、マゼンタの減色混合による色である青（Ｂ）が表示されることとなる（図８（Ｃ）参照）。
【００９９】
一方、図８（Ａ）に示すマゼンタの表示された状態から、赤（Ｒ）を表示する場合には、第３の電圧として画素電極２６１へ、粒子群４１Ｙのみが表示基板２０側に移動する電圧として、電圧値Ｖ１（１０Ｖ）の負極性の電圧を印加する。また、この第１の電圧の印加と同時または該第１の電圧の印加の前に、凸部電極３４に電圧値Ｖ１（５Ｖ）の負極性の第２の電圧を印加する（図８（Ｄ）参照）。そして、粒子群４１Ｙ及び粒子群４１Ｃが表示基板２０側に移動した後に、凸部電極３４への電圧印加を解除し、その後、画素電極２６１への電圧印加を解除する。
【０１００】
この第３の電圧の印加及び第４の電圧の印加によって、背面基板２２側に配置されていた粒子群４１Ｙ及び粒子群４１Ｃのうちの、粒子群４１Ｙのみが、表示基板２０側に移動する。これによって、イエロー、マゼンタの減色混合による色である赤（Ｒ）が表示されることとなる（図８（Ｄ）参照）。
【０１０１】
一方、全ての種類の粒子群４１（粒子群４１Ｙ、粒子群４１Ｃ、粒子群４１Ｍ）が、背面基板２２側に配置された状態から、緑（Ｇ）を表示する場合には、第３の電圧として画素電極２６１に電圧値Ｖ３（１５Ｖ）の負極性の電圧を印加する。また、この第３の電圧の印加と同時または該第３の電圧の印加の前に、凸部電極３４に電圧値Ｖ３以下（１５Ｖ以下）の負極性の第４の電圧として、上記と同様に、電圧値Ｖ１（５Ｖ）の負極性の電圧を印加する。そして、粒子群４１Ｙ及び粒子群４１Ｃが表示基板２０側に移動した後に、凸部電極３４への電圧印加を解除し、その後、画素電極２６１への電圧印加を解除する。
【０１０２】
この第３の電圧の印加及び第４の電圧の印加によって、複数種類の粒子群４１のうちの、粒子群４１Ｃ及び粒子群４１Ｙのみが、表示基板２０側に移動し、シアンとイエローとの減色混合による緑（Ｇ）が表示される（図９（Ａ）参照）。
【０１０３】
次に、図９（Ａ）に示す緑（Ｇ）の表示された状態から、白（Ｗ）を表示する場合には、表示基板２０側に配置されている粒子群４１Ｙ、及び粒子群４１Ｍの全てを背面基板２２側へ移動させる。この場合には、凸部電極３４への電圧印加を解除したままで、表示電極２４と画素電極２６との電位差が、粒子群４１Ｙ及び粒子群４１Ｍの双方が表示基板２０側から背面基板２２側へ移動する電位差の電圧である電圧値Ｖ２（１０Ｖ）の正極性の電圧を画素電極２６１へ印加する（図９（Ｂ）参照）。この電圧の印加によって、表示基板２０側に配置されていた粒子群４１Ｙ及び粒子群４１Ｍが、背面基板２２側に移動する。これによって、分散媒３６中に分散されている白色粒子３８の色である白（Ｗ）が表示されることとなる（図９（Ｂ）参照）。
【０１０４】
次に、図９（Ｂ）に示す白の表示された状態から、イエロー（Ｙ）を表示する場合には、第３の電圧として画素電極２６１に電圧値Ｖ１（５Ｖ）の負極性の電圧を印加する。また、この第３の電圧の印加と同時または該第３の電圧の印加の前に、凸部電極３４に電圧値Ｖ１（５Ｖ）の負極性の第４の電圧を印加する（図９（Ｃ）参照）。そして、粒子群４１Ｙが表示基板２０側に移動した後に、凸部電極３４への電圧印加を解除し、その後、画素電極２６１への電圧印加を解除する。
【０１０５】
この第３の電圧の印加及び第４の電圧の印加によって、背面基板２２側に配置されていた粒子群４１Ｙのみが、表示基板２０側に移動する。これによって、粒子群４１Ｙの色であるイエロー（Ｙ）が表示されることとなる（図９（Ｃ）参照）。
【０１０６】
一方、図９（Ａ）に示す緑（Ｇ）の表示された状態から、シアン（Ｃ）を表示する場合には、表示基板２０側に配置されている粒子群４１Ｙ、及び粒子群４１Ｍのうちの、粒子群４１Ｍのみを背面基板２２側へ移動させる。この場合には、凸部電極３４への電圧印加を解除したままで、表示電極２４と画素電極２６との電位差が、粒子群４１Ｍのみが表示基板２０側から背面基板２２側へ移動する電位差の電圧である電圧値Ｖ１（５Ｖ）の正極性の電圧を画素電極２６１へ印加する（図９（Ｄ）参照）。この電圧の印加によって、表示基板２０側に配置されていた粒子群４１Ｙ及び粒子群４１Ｍのうちの粒子群４１Ｙのみが、背面基板２２側に移動する。これによって、粒子群４１Ｃの色であるシアン（Ｃ）が表示されることとなる（図９（Ｄ）参照）。
【０１０７】
本実施の形態の表示装置１０Ａでは、以上に説明した電圧印加を行うことによって、背面基板２２側から表示基板２０側へ複数種類の粒子群４１のうちの少なくとも１種が移動するときには、凸部電極３４への上記第４の電圧の印加によって画素電極２６間に電気的な障壁が形成された状態となり、隣の画素電極２６に対応する領域へと粒子群４１が移動することが抑制されると考えられる。
【０１０８】
このため、複数種類の粒子群４１を備えた表示媒体１２Ａを有する表示装置１０Ａにおいても、画質劣化が抑制されると考えられる。
【０１０９】
なお、上記第１の実施の形態及び第２の実施の形態では、表示電極２４は、表示基板２０の面に添って平面状に設けられた形態である場合を説明したが、画素電極２６に対応する領域のみをベタ電極とし、ベタ電極間をつなぐ電極を更に設けた構成であってもよい。例えば、図１０（Ａ）に示すように、画素電極２６の大きさに調整され且つ画素電極２６に対応して設けられたベタ電極２４Ａと、これらのベタ電極２４Ａを電気的に接続する線状電極２４Ｂと、から構成した形態としてもよい。また、図１０（Ｂ）に示すように、画素電極２６の大きさに調整され且つ各画素電極２６に対応して設けられたベタ電極２４Ｃと、これらのベタ電極２４Ｃを電気的に接続する矩形状の電極２４Ｄと、から構成した形態としてもよい。
【０１１０】
表示電極２４を上記構成とすることで、表示電極２４の導通を維持しつつ、且つ粒子群４０及び粒子群４１の画素に対応する領域間における拡散が抑制されると考えられる。
【符号の説明】
【０１１１】
１０、１０Ａ  表示装置
１２、１２Ａ  表示媒体
１６、１６Ａ  電圧印加部
１８、１８Ａ  制御部
２０   表示基板
２２   背面基板
２４   表示電極
２６、２６１〜２６３ 画素電極
３２   凸部
３４   凸部電極
３６   分散媒
４０   粒子群
４１、４１Ｍ、４１Ｙ、４１Ｃ       粒子群
【図１】
0005381662.tif 000002
【図２】
0005381662.tif 000003
【図３】
0005381662.tif 000004
【図４】
0005381662.tif 000005
【図５】
0005381662.tif 000006
【図６】
0005381662.tif 000007
【図７】
0005381662.tif 000008
【図８】
0005381662.tif 000009
【図９】
0005381662.tif 000010
【図１０】
0005381662.tif 000011